(57)【要約】【課題】１つの公営競技場において、当日開催されている自場および他場の全競技の中から、ファンが特定の選手や特定の競走馬の出場する競技を検索して投票し得るようにした、公営競技における条件検索型投票システムを提供する。【解決手段】Ａ競技場およびネットワーク８で接続された他の競技場にそれぞれ、ファンが指定する条件に対応する各種競技情報を検索して表示する機能とファンが指定する条件で投票を行う機能とを備える条件検索型投票端末３と、自場の競技に関する各種競技情報を記憶する情報記憶装置７と、自場の競技に対する投票を集計管理する投票集計管理装置４とを設け、Ａ競技場の条件検索型投票端末３でファンが指定入力した条件に応じて、他の競技場の情報記憶装置７に記憶された各種競技情報をＡ競技場の条件検索型投票端末３に表示し、他の競技場の投票集計管理装置４を用いて他の競技場の競技に対する投票を行う。【選択図】        図１
2004334404.tif 000002
【特許請求の範囲】
【請求項１】
競馬、競輪、競艇、オートレース等の各種公営競技場の中の１つの公営競技場において、当日開催されている自場および他場の競技に対する投票を行うための公営競技における条件検索型投票システムであって、
ファンが指定する条件に対応する各種競技情報を検索して表示する機能とファンが指定する条件で投票を行う機能とを備える条件検索型投票端末と、自場の競技に関する各種競技情報を記憶する情報記憶装置と、自場の競技に対する投票を集計管理する投票集計管理装置とを、全ての公営競技場に設けるとともに、
前記各種公営競技場の１つの公営競技場に設けた条件検索型投票端末、情報記憶装置および投票集計管理装置と、前記各種公営競技場の他の公営競技場に設けた条件検索型投票端末、情報記憶装置および投票集計管理装置との間を、それぞれネットワーク接続し、
前記１つの公営競技場に設けた条件検索型投票端末においてファンが指定入力した条件に応じて、前記他の公営競技場に設けた情報記憶装置に記憶された各種競技情報を前記１つの公営競技場に設けた条件検索型投票端末に表示するとともに、前記他の公営競技場に設けた投票集計管理装置を用いて前記他の公営競技場の競技に対する投票を行うようにしたことを特徴とする公営競技における条件検索型投票システム。
【請求項２】
前記他の公営競技場の競技に対する投票が的中した場合、前記１つの公営競技場に設けた条件検索型投票端末において払戻処理を行うようにしたことを特徴とする請求項１記載の公営競技における条件検索型投票システム。
【請求項３】
前記ファンが指定する条件は、競技種別情報、選手情報または競走馬情報、賭式情報、組番情報、ならびに、投票金額情報を含むことを特徴とする請求項１または２記載の公営競技における条件検索型投票システム。
【請求項４】
前記各種競技情報は、競技種別情報、当該選手情報または競走馬情報、ならびに、当該競技に関する情報を含むことを特徴とする請求項１〜３の何れか１項記載の公営競技における条件検索型投票システム。
【請求項５】
前記各種競技情報は、さらに、当該選手または競走馬に関する各種成績情報、当該選手または競走馬の出場予定期間情報、ならびに、当該競技に関するオッズ情報を含むことを特徴とする請求項４記載の公営競技における条件検索型投票システム。
【発明の詳細な説明】
【０００１】
【発明の属する技術分野】
本発明は、競馬、競輪、競艇、オートレース等の各種公営競技場の中の１つの公営競技場において、当日開催されている自場および他場の競技に対する投票を行うための、公営競技における条件検索型投票システムに関するものである。
【０００２】
【従来の技術】
競馬、競輪、競艇、オートレース等の各種公営競技のファンの中には、特定の選手もしくは特定の競走馬をターゲットとして、特定の選手もしくは特定の競走馬が出場する公営競技場を渡り歩く、いわゆる「追っかけ」を行うファンが存在する。そのようなファンが追っかけを行う場合、現状では、日本全国各地に存在する各種公営競技場の何れか１つの公営競技場の場内から他の公営競技場で行われている競技（レース）に対して投票することができないので、ターゲットとする特定の選手もしくは特定の競走馬が出場する公営競技場に入場してその場内で投票する必要がある。
【０００３】
具体的には、ファンが特定の選手もしくは特定の競走馬に投票するためには、まず、新聞、情報誌やインターネット検索等により、特定の選手もしくは特定の競走馬が出場する公営競技場および出場予定期間を調査し、次に、電車、バス、乗用車、航空機等の各種交通機関を利用して、特定の選手もしくは特定の競走馬が出場する公営競技場に、実際に出場する期間内に出向き、その後、その公営競技場の場内で特定の選手もしくは特定の競走馬に投票する、という手順を取る必要がある。また、投票が的中した場合には、当該競技の結果が確定するまで当該公営競走場に留まり、結果発表後に払い戻しを受けるか、あるいは、後日、改めて直接当該公営競走場に出向いて払い戻しを受ける必要がある。
【０００４】
一方、実際に公営競技場まで出向かずに特定の選手もしくは特定の競走馬に投票することができるシステムとして、電話投票システム（例えば、特許文献１参照）が提案されている。この電話投票システムを用いて特定の選手もしくは特定の競走馬に投票するためには、まず、当該競技の関係団体が管理する電話投票システムの投票会員となり、次に、事前に金融機関（銀行等）に電話投票システム用の口座を開設し、その後、特定の選手もしくは特定の競走馬が出場する競技に対して電話等により投票する、という手順を取る必要がある。また、投票が的中した場合には、当該競技の結果が確定しても当日は払い戻しを受けることができず、当該投票日の翌日以降（金融機関営業日）に払い戻しを受ける必要がある。
【０００５】
【特許文献１】
特開平８−２４９４０６号公報
【０００６】
【発明が解決しようとする課題】
以上のように、従来技術を用いてファンが特定の選手もしくは特定の競走馬に投票するためには、直接公営競走場に出向いて投票したり、電話投票システムを利用して投票したりする際に、特定の選手もしくは特定の競走馬の検索や投票のための事前準備等が必要になり、ファンは、多大な労力・経費・時間を要することになる。
【０００７】
本発明は、各種公営競技場の中の１つの公営競技場において、当日開催されている自場および他場の全競技の中から、ファンが特定の選手もしくは特定の競走馬の出場する競技を検索して投票し得るようにした、公営競技における条件検索型投票システムを提供することを目的とする。
【０００８】
【課題を解決するための手段】
上記目的を達成するため、請求項１に記載の第１発明は、競馬、競輪、競艇、オートレース等の各種公営競技場の中の１つの公営競技場において、当日開催されている自場および他場の競技に対する投票を行うための公営競技における条件検索型投票システムであって、ファンが指定する条件に対応する各種競技情報を検索して表示する機能とファンが指定する条件で投票を行う機能とを備える条件検索型投票端末と、自場の競技に関する各種競技情報を記憶する情報記憶装置と、自場の競技に対する投票を集計管理する投票集計管理装置とを、全ての公営競技場に設けるとともに、前記各種公営競技場の１つの公営競技場に設けた条件検索型投票端末、情報記憶装置および投票集計管理装置と、前記各種公営競技場の他の公営競技場に設けた条件検索型投票端末、情報記憶装置および投票集計管理装置との間を、それぞれネットワーク接続し、前記１つの公営競技場に設けた条件検索型投票端末においてファンが指定入力した条件に応じて、前記他の公営競技場に設けた情報記憶装置に記憶された各種競技情報を前記１つの公営競技場に設けた条件検索型投票端末に表示するとともに、前記他の公営競技場に設けた投票集計管理装置を用いて前記他の公営競技場の競技に対する投票を行うようにしたことを特徴とする。
【０００９】
第１発明によれば、各種公営競技場に設けた条件検索型投票端末、情報記憶装置および投票集計管理装置は、相互にネットワーク接続されているので、競馬、競輪、競艇、オートレース等の各種公営競技場の中の１つの公営競技場にいるファンにより前記１つの公営競技場に設けた条件検索型投票端末において特定の選手もしくは特定の競走馬を指定する条件が入力されると、その条件に対応する特定の選手もしくは特定の競走馬に関する各種競技情報が他の公営競技場に設けた情報記憶装置から検索され、前記１つの公営競技場に設けた条件検索型投票端末に表示されるので、表示された各種競技情報を参照したファンにより前記１つの公営競技場に設けた条件検索型投票端末において投票を指定する条件が入力されると、前記他の公営競技場に設けた投票集計管理装置を用いて前記他の公営競技場の競技に対する投票が行われる。
したがって、各種公営競技場の中の１つの公営競技場において、当日開催されている自場および他場の全競技の中から、ファンが特定の選手もしくは特定の競走馬の出場する競技を検索して投票し得るようにした、公営競技における条件検索型投票システムを提供することが可能になり、特定の選手もしくは特定の競走馬をターゲットとして投票を行う際の、情報検索および投票の労力・経費・時間を大幅に削減することができる。
【００１０】
請求項２に記載の第２発明は、前記他の公営競技場の競技に対する投票が的中した場合、前記１つの公営競技場に設けた条件検索型投票端末において払戻処理を行うようにしたことを特徴とする。
【００１１】
第２発明によれば、前記他の公営競技場の競技に対する投票が的中した場合には、前記１つの公営競技場に設けた条件検索型投票端末において払戻処理を行うから、実際に前記他の公営競技場に出向くことなく払い戻しを受けることができるようになるとともに、電話投票システムの場合のように当該投票日の翌日以降（金融機関営業日）まで待つことなく、当該競技の結果が確定した後に直ちに払い戻しを受けることができるようになり、サービス向上になる。
【００１２】
請求項３に記載の第３発明は、前記ファンが指定する条件は、競技種別情報、選手情報または競走馬情報、賭式情報、組番情報、ならびに、投票金額情報を含むことを特徴とする。
【００１３】
第３発明によれば、ファンにより、前記１つの公営競技場に設けた条件検索型投票端末において競技種別情報と、選手情報または競走馬情報とが入力されると、その条件に対応する特定の選手もしくは特定の競走馬に関する各種競技情報が他の公営競技場に設けた情報記憶装置から検索され、前記１つの公営競技場に設けた条件検索型投票端末に表示されるので、前記ファンは、表示された各種競技情報を参照して前記１つの公営競技場に設けた条件検索型投票端末において投票を指定する条件として賭式情報、組番情報および投票金額情報を入力するだけで、前記他の公営競技場に設けた投票集計管理装置を用いて前記他の公営競技場の競技に対する投票を行うことができるようになり、ファンによる特定の選手もしくは特定の競走馬に関する情報検索および投票の手間が軽減されることになる。
【００１４】
請求項４に記載の第４発明は、前記各種競技情報は、競技種別情報、当該選手情報または競走馬情報、ならびに、当該競技に関する情報を含むことを特徴とする。
【００１５】
第４発明によれば、前記各種競技情報は、競技種別情報、当該選手情報または競走馬情報、ならびに、当該競技に関する情報を含んでいるので、特定の選手もしくは特定の競走馬を指定したファンに対して前記特定の選手もしくは特定の競走馬に関する必要最小限の情報が提供されることになり、そのファンは前記特定の選手もしくは特定の競走馬の競走に対して投票することができるようになる。
【００１６】
請求項５に記載の第５発明は、前記各種競技情報は、さらに、当該選手または競走馬に関する各種成績情報、当該選手または競走馬の出場予定期間情報、ならびに、当該競技に関するオッズ情報を含むことを特徴とする。
【００１７】
第５発明によれば、前記各種競技情報は、さらに、当該選手または競走馬に関する各種成績情報、当該選手または競走馬の出場予定期間情報、ならびに、当該競技に関するオッズ情報を含んでいるので、特定の選手もしくは特定の競走馬を指定したファンに対して前記特定の選手もしくは特定の競走馬に関する多様な情報が提供されることになり、前記ファンは前記特定の選手もしくは特定の競走馬の競走に対して投票することができるようになる上に、前記特定の選手もしくは特定の競走馬に関する多様な情報を見て楽しむことができるようになる。
【００１８】
【発明の実施の形態】
以下、本発明の実施の形態を図面に基づき詳細に説明する。
図１は本発明の第１実施形態の公営競技における条件検索型投票システムの全体構成を示す図である。本実施形態の公営競技における条件検索型投票システムは、図１に示すように、競馬、競輪、競艇、オートレース等の各種公営競技場の中の１つの公営競技場（以下、Ａ競技場という）と他の公営競技場（以下、Ｂ競技場、Ｃ競技場、Ｄ競技場、・・という）とが同一構成になるように、以下の各種装置を設ける。すなわち、Ａ競技場、Ｂ競技場、Ｃ競技場、Ｄ競技場、・・にはそれぞれ、投票場１−１，１−２，・・および競技場センターシステム２が設けられており、投票場１−１，１−２，・・のそれぞれには、条件検索型投票端末３および投票集計管理装置４が設けられており、競技場センターシステム２は、中央処理装置５，情報サービス装置６および情報記憶装置７により構成されている。さらに、Ａ競技場、Ｂ競技場、Ｃ競技場、Ｄ競技場、・・は、ネットワーク８によって相互に接続されている。
【００１９】
図１に示す第１実施形態の公営競技における条件検索型投票システムにおいて、条件検索型投票端末３、投票集計管理装置４および情報記憶装置７は、本発明の条件検索型投票システムを構築するために設けられた専用装置である。一方、中央処理装置５および情報サービス装置６は新たに設けてもよいが、各種公営競技場に既設されている装置（例えばトータリゼータシステムを構成する装置）を流用することも可能である。なお、図１においては、説明を簡略化するために、既設の投票端末や投票集計管理装置等の記載を省略している。
【００２０】
上記条件検索型投票端末３は、ファンが指定する条件に対応する各種競技情報を検索して表示する機能とファンが指定する条件で投票を行う機能とを備える投票端末であり、ここでは図示しないが、少なくとも、キーやタッチスイッチ等から成る入力部と、各種情報を表示する表示部とを備えている。
【００２１】
上記投票集計管理装置４は、条件検索型投票端末３から入力された各種投票情報に基づき自場の競技に対する投票を集計して管理するものであり、各種投票情報の集計結果を競技場センターシステム２内の中央処理装置５に出力するように構成されている。
【００２２】
上記情報記憶装置７は、自場の競技に関する各種競技情報を記憶するものであり、条件検索型投票端末３からファンより指定する条件が入力されると、当該条件に対応する各種投票情報を検索して条件検索型投票端末３に送出するように構成されている。なお、ファンが指定する条件に対応する各種投票情報が自場の情報記憶装置７内に存在しない場合、情報サービス装置６およびネットワーク８を経由して他場（Ｂ競技場、Ｃ競技場、Ｄ競技場、・・）の情報サービス装置６から他場の情報記憶装置７にアクセスして、他場の情報記憶装置７内に存在している前記ファンが指定する条件に対応する各種投票情報を検索した後、上記と逆の経路でネットワーク８を経由して自場の条件検索型投票端末３に送出するように構成されている。
【００２３】
次に、実施形態の公営競技における条件検索型投票システムを用いて、各種公営競技場の中の１つの公営競技場（例えばＡ競技場）にいるファンが、当日開催されている自場および他場の競技であって、ターゲットとする特定の選手もしくは特定の競走馬が出場する競技に対する投票を行う場合（以下、追っかけ投票という）の投票方法について図１〜図４に基づいて説明する。
【００２４】
まず、追っかけ投票を行うファンが、Ａ競技場の何れかの投票所（例えば投票所１−１）に行き、そこに設置されている条件検索型投票端末３で所定の操作を行うと、条件検索型投票端末３の表示部に、図２に例示するような出場検索画面１１が表示される。
【００２５】
次に、前記ファンは、この出場検索画面１１において、ターゲットとする特定の競走選手もしくは特定の競走馬が出場する競技種別を指定する。ここで、前記ファンがターゲットとする特定の競走選手もしくは特定の競走馬が「競輪の山口○○選手」である場合について以下に説明すると、前記ファンは、競艇、競輪、競馬、オートから成る競技種別選択肢１２の中から「競輪」を指定する操作を行う。次に、検索方法選択肢１３の中から「名前で探す」を指定する操作を行い、名前として「山口」を入力する。その際、「競輪の山口○○選手」が複数存在する場合には、図示しない候補表示画面に該当する情報が一覧表示されるので、その中から実際にターゲットとする「山口○○選手」を指定する操作を行う。なお、前記ファンが「競輪の山口○○選手」の登録番号を知っている場合は、「名前で探す」による検索に代えて、検索方法選択肢１３の中から「登録番号で探す」を指定して、その登録番号を入力してもよい。以上の操作により、追っかけ投票の対象とする「競輪の山口○○選手」の出場検索の準備（検索データ入力）が完了する
【００２６】
次に、前記ファンが、条件検索型投票端末３の操作部において所定の操作（例えば開始ボタンの押下操作）を行うことにより検索が開始される。この検索においては、まず、自場の情報記憶装置７内に上記検索データ入力に対応する各種投票情報があるか否かを検索し、無い場合には、ネットワーク８経由で、所定の順番（例えばＢ競技場、Ｃ競技場、Ｄ競技場、・・の順番）で他場の情報記憶装置７内に上記検索データ入力に対応する各種投票情報があるか否かを検索する。以上の検索結果（「出場無し」も含む）は、ネットワーク経由でＡ場の条件検索型投票端末３に送出される。
【００２７】
上記検索により、「競輪の山口○○選手」が当日開催されている何れかの公営競技場に出場することが確認された場合、条件検索型投票端末３の表示部に、図３に例示するような出走表画面１４が表示される。上記出走表画面１４は、プロフィール情報表示領域１５と、近況成績情報表示領域１６と、欠場情報表示領域１７等から成る。図示例では、プロフィール情報表示領域１５には、選手姓名＝山口○○、出身地＝東京都、期別＝３８期、級班＝Ａ１、登録番号＝００９１９０が表示され、近況成績情報表示領域１６には、直近１０場所成績、最近の成績、勝率、２連対率、３連対率、ホーム回数、バック回数が表示されるとともに、出場予定期間情報も表示される。さらに、欠場情報表示領域１７には、当日開催競技に出場していない場合に限り、図示のような「本日、開催中のレースには出場していません」というメッセージが表示される。この出走表画面１４に表示された出走表は、条件検索型投票端末３の操作部において所定の操作（例えば印刷ボタンの押下操作）を行うことにより、印刷出力することができる。なお、上記表示は競輪の場合を示したものであり、他の競技種別の場合は適宜表示項目が変更されることになる。また、上記表示は一例を示したものであり、これに限定されるものではない。
【００２８】
その後、条件検索型投票端末３の表示部の表示は、図４に例示するような投票画面１８に移行する。この表示画面の移行は、タイマ制御により所定時間経過後に自動的に行うものとするが、ファンによる条件検索型投票端末３での所定の操作に応じて表示画面を移行させるようにしてもよい。
【００２９】
上記投票画面１８は、競技情報表示領域１９と、各種成績情報表意領域２０と、賭式選択領域２１と、投票条件入力領域２２と、競技時刻情報表示領域２３等から成る。図示例では、競技情報表示領域１９には、「競輪の山口○○選手」が出場する現在投票可能なレースの情報＝「第１０レース（Ａ級決勝）２０２５ｍ（５周）」が表示され、各種成績情報表意領域２０には、山口○○選手およびその他の出走選手に関する各種成績情報が表示され、賭式選択領域２１には、各種賭式選択肢である２枠単／複、２車単／複、３連単、３連複、ワイドが表示され、投票条件入力領域２２には、前記ファンが実際に投票券を購入することにした投票条件（選択した賭式、組番、投票金額）が表示され、競技時刻情報表示領域２３には、発走予定時刻＝１６：００および電投締切時刻＝１５：５５が表示される。なお、ここでは図示していないが、条件検索型投票端末３の操作部において所定の操作を行うことにより、オッズ表示画面に移行して、各賭式の各組番に関するオッズ情報を表示することができるようになっている。
【００３０】
上記投票画面１８において、前記ファンは、まず、賭式選択領域２１の選択肢の中から所望の賭式を選択する。ここで、３連単を選択すると、投票条件入力領域２２には「山口○○選手」絡みの組番が順次表示されるので、前記ファンが投票を希望する組番に対して投票金額情報を入力すると、図示例のように３連単の９−４−１を１００００円購入し、３連単の９−４−５を１００００円購入し、・・という投票情報がセットされる。以下同様にして、２車単等の投票情報等がセットされ、投票情報のセットが完了する。
【００３１】
上記投票条件のセットの完了後に、前記ファンは、条件検索型投票端末３に投票を行うために現金（または電子マネー）を投入する。この投入において投入金額が全投票の合計金額を上回った時点で、ネットワーク８を介して他場の投票集計管理装置４に、少なくとも１組の賭式情報、組番情報、投票金額情報から成る各種投票情報が送出され、その各種投票情報に基づいて投票が実施されることになる。なお、その際、条件検索型投票端末３において、購入した投票の投票券を発券するものとする。
【００３２】
上記投票に対応する競技が終了して、結果が確定すると、投票結果がネットワーク８を介して自場の条件検索型投票端末３に通知される。なお、上記投票情報のセット時に、投票締切時刻を過ぎてしまった等の理由によって無効になった投票がある場合には、無効になった投票分の金額が返却されることになる。
【００３３】
上記投票が的中した場合には、当該ファンが、自場の条件検索型投票端末３において所定の操作（例えば的中投票券の投入および払い戻しボタンの押下操作）を行うことにより、直ちに払戻処理が開始されることになる。
【００３４】
本実施形態の公営競技における条件検索型投票システムによれば、各種公営競技場に設けた条件検索型投票端末３、投票集計管理装置４および情報記憶装置７は、ネットワーク８によって相互に接続されているので、各種公営競技場の中の１つの公営競技場にいるファンは、条件検索型投票端末３において競技種別情報と、選手情報または競走馬情報と、賭式情報と、組番情報と、投票金額情報とを入力するだけで、実際に他場に出向くことなく、当日開催されている他場の全競技の中から、特定の選手もしくは特定の競走馬の出場する競技を検索して追っかけ投票することが可能になり、追っかけ投票を行う際の、情報検索および投票の労力・経費・時間を大幅に削減することができる。  また、追っかけ投票を行う際には、特定の選手もしくは特定の競走馬の出場する競技を全ての公営競技場の競技の中から検索するので、特定の選手もしくは特定の競走馬の出場する競技を漏れ無く検索することができる。
【００３５】
また、他場の競技に対する投票が的中した場合には、自場に設けた条件検索型投票端末３において、実際に他場に出向くことなく払い戻しを受けることができるようになり、電話投票システムの場合のように当該投票日の翌日以降（金融機関営業日）まで待つことなく、当該競技の結果が確定した後に直ちに払い戻しを受けることができ、サービス向上になる。
【００３６】
また、追っかけ投票を行う際には、自場の条件検索型投票端末３に、競技種別情報、当該選手情報または競走馬情報、ならびに、当該競技に関する情報が表示されるとともに、当該選手または競走馬に関する各種成績情報、当該選手または競走馬の出場予定期間情報、ならびに、当該競技に関するオッズ情報が表示されるので、追っかけ投票を行うファンは、特定の選手もしくは特定の競走馬に関する多様な情報を見て楽しむことができるようになる。
【００３７】
なお、上記第１実施形態では、条件検索型投票端末３に上記のような特定の選手もしくは特定の競走馬に関する多様な情報を表示するようにしたが、最低限、競技種別情報と、当該選手情報または競走馬情報と、当該競技に関する情報とを表示すれば投票が可能になるので、表示項目を絞り込むことによりシステムの簡略化を図るようにしてもよい。
【００３８】
また、上記第１実施形態では、情報記憶装置７を全競技場に設けるようにしたが、全競技場を総合的に管理するセンタをネットワーク８内に設け、そのセンタに全競技場の競技に関する各種競技情報を一括して記憶する情報記憶装置を設けることにより各競技場に設ける情報記憶装置７を省略するようにしてもよい。
【図面の簡単な説明】
【図１】本発明の第１実施形態の公営競技における条件検索型投票システムの全体構成を示す図である。
【図２】第１実施形態の条件検索型投票システムの条件検索型投票端末に表示される出場検索画面を例示する図である。
【図３】第１実施形態の条件検索型投票システムの条件検索型投票端末に表示される出走表画面を例示する図である。
【図４】第１実施形態の条件検索型投票システムの条件検索型投票端末に表示される投票画面を例示する図である。
【符号の説明】
１−１，１−２  投票場
２  競技場センターシステム
３  条件検索型投票端末
４  投票集計管理装置
５  中央処理装置
６  情報サービス装置
７  情報記憶装置
８  ネットワーク
１１  出場検索画面
１２  競技種別選択肢
１３  検索方法選択肢
１４  出走表画面
１５  プロフィール情報表示領域
１６  近況成績情報表示領域
１７  欠場情報表示領域
１８  投票画面
１９  競技情報表示領域
２０  各種成績情報表意領域
２１  賭式選択領域
２２  投票条件入力領域
２３  競技時刻情報表示領域
【図１】
2004334404.tif 000003
【図２】
2004334404.tif 000004
【図３】
2004334404.tif 000005
【図４】
2004334404.tif 000006